(57)【要約】【課題】ヒートポンプと吸放湿手段を用い、単純な構成でよりスリムで軽量・コンパクトで効率が良い除湿装置を提供することを目的としている。【解決手段】吸込口１１２と吹出口を開口した本体１０１Ａ内に、圧縮機１０２、放熱器１０３、減圧機構１０４、吸熱器１０５とを配管接続したヒートポンプ１１８と、駆動手段１２によって回転する吸湿部１０８と放湿部１０９からなる吸放湿手段１０７とを有し、両吸い込み型の送風手段８は、ケーシング７の第１のファン吸込口５側に前記放熱器１０３を配置し、第２のファン吸込口６側に吸放湿手段１０７と吸熱器１０５を配置することにより、本体１０１Ａ内の限られたスペースを有効利用して、排気風路９と除湿風路１０を少ない部品構成でコンパクトに形成することができ、風量増加を図るとともに、室内低温時にも対応させて除湿効率を高めた除湿装置。【選択図】図１
2008200615.tif 000002
【特許請求の範囲】
【請求項１】
吸込口と吹出口を開口した本体と、圧縮機、放熱器、減圧機構および吸熱器を接続したヒートポンプと、供給空気から吸湿する吸湿部と加熱されて水分を放出する放湿部からなる円筒形状の吸放湿手段と、この吸放湿手段を回転する駆動手段と、ケーシングと羽根車からなる送風手段と、前記ケーシングの両側面に設けた第１のファン吸込口および第２のファン吸込口と、室内空気を前記本体の吸込口から前記放熱器に供給し前記第１のファン吸込口から前記送風手段に吸込み排気する排気風路と、室内空気を前記放熱器、前記放湿部、前記吸熱器、前記吸湿部に供給し前記第２のファン吸込口から前記送風手段に吸込み除湿する除湿風路を有し、前記送風手段の前記第１のファン吸込口側に前記放熱器を配置し、前記第２のファン吸込口側に吸放湿手段と吸熱器を配置してなる除湿装置。
【請求項２】
吸放湿手段の通風面、吸熱器の通風面および放熱器の通風面と、ケーシングに設けたファン吸込口の開口面を略平行に配置してなる請求項１記載の除湿装置。
【請求項３】
吸熱器と送風手段の間に吸放湿手段を配置してなる請求項１または２記載の除湿装置。
【請求項４】
送風手段を本体上方からみて、左右方向の略中心に配置してなる請求項１または２記載の除湿装置。
【請求項５】
送風手段の羽根車は、モーターの駆動軸に接続された円板状の主板と、この主板の両側に等間隔に配設した複数の第１ブレードおよび複数の第２ブレードからなり、前記第１のブレードをケーシングの第１のファン吸込口に対応させ、前記第２のブレードを前記ケーシングの第２のファン吸込口に対応させるとともに、前記ケーシングの内周に沿って排気風路と除湿風路を区分する隔壁を形成してなる請求項１または２記載の除湿装置。
【請求項６】
第１のブレードと第２のブレードの傾き角度または取付ピッチを、それぞれ異なる仕様とした請求項５記載の除湿装置。
【請求項７】
送風手段のケーシングは舌部の裏側に凹部を有し、この凹部と本体の側壁間のスペースにより除湿風路の一部を形成し、この除湿風路は放熱器を通過した空気を通過させてなる請求項１乃至６のいずれかに記載の除湿装置。
【請求項８】
送風手段のケーシングは舌部の裏側に凹部を有し、吸放湿手段の放湿部を加熱する加熱手段を備え、この加熱手段を前記凹部に収納し、送風手段と吸放湿手段を近接して配置可能とした請求項１乃至７のいずれかに記載の除湿装置。
【請求項９】
本体の吸気口から放熱器を通さずに吸熱器、吸放湿手段の吸湿部を通り、第２のファン吸込口に至るバイパス風路を設け、このバイパス風路の一部は、送風手段のケーシング、吸放湿手段および前記吸熱器と前記本体の側壁間のスペースにより形成されてなる請求項１乃至８のいずれかに記載の除湿装置。
【請求項１０】
排気風路の吐出側に第２吹出口を本体表面に開口し、送風手段の吐出側に前記排気風路を除湿風路へ接続できる切換手段を設け、この切換手段は前記排気風路を前記第２吹出口に連通させる場合と、前記排気風路を除湿風路に合流させる場合とに切り替え可能とした請求項１記載の除湿装置。
【発明の詳細な説明】
【技術分野】
【０００１】
本発明は、圧縮機、放熱器、膨張機構、吸熱器等から構成されるヒートポンプと、吸着剤や吸収剤を用いて吸放湿を行う吸放湿手段を備えた除湿装置に関するものである。
【背景技術】
【０００２】
従来のヒートポンプと吸放湿手段を備えた除湿装置としては、循環経路のない単純な構成のものが知られている（例えば、特許文献１参照）。
【０００３】
以下、その除湿装置について図１０を参照しながら説明する。
【０００４】
図１０に示すように、除湿装置の本体１０１内に、圧縮機１０２、放熱器１０３、膨張機構１０４、吸熱器１０５を配管接続した冷媒回路１０６と、供給空気から吸湿する吸湿部１０８および供給空気に放湿する放湿部１０９を有する吸放湿手段１０７を設け、冷媒回路１０６内に冷媒１１０を充填している。また、本体１０１には吸込口１１２と２箇所の吹出口１１３ａ、１１３ｂを開口し、メイン送風ファン１１１とバイパス送風ファン１１４の運転によって、吸込口１１２から除湿対象空気１１６と加熱対象空気１１５を本体１０１内に供給している。
【０００５】
本体１０１内に供給された除湿対象空気１１６が、メイン送風ファン１１１によって放熱器１０３、放湿部１０９、吸熱器１０５、吸湿部１０８に順に供給されて吹出口１１３ａより本体１０１外部に放出される。また加熱対象空気１１５が、バイパス送風ファン１１４によって、除湿対象空気１１６と同一方向から放熱器１０３に供給されて吹出口１１３ｂより本体１０１外部に放出され、室内空気部１１７が、除湿対象空気１１６と加熱対象空気１１５との間に配置されている。吸放湿手段１０７は放熱器１０３と吸熱器１０５の間に設けられ、放熱器１０３が吸熱器１０５の下側に設けられている。
【０００６】
このとき圧縮機１０２により冷媒１１０を圧縮することによって、冷媒１１０が放熱器１０３、膨張機構１０４、吸熱器１０５の順に冷媒回路１０６内を循環し、放熱器１０３に供給される除湿対象空気１１６および加熱対象空気１１５に対して放熱するとともに吸熱器１０５に供給される除湿対象空気１１６から吸熱することによって、ヒートポンプ１１８を作動させている。また、放湿部１０９において放湿された除湿対象空気１１６は高湿の空気となって吸熱器１０５に供給され、吸熱器１０５に供給された高湿の除湿対象空気１１６は、冷媒１１０の吸熱によって露点温度以下まで冷却されて空気中の水分が飽和する。この飽和した水分が凝縮してタンク１１９に滴下し、このタンク１１９に溜まった凝縮水の量が除湿装置の除湿量となるものである。
【特許文献１】特開２００６−１３０４６６号公報
【発明の開示】
【発明が解決しようとする課題】
【０００７】
以上の例では、本体１０１の両側にメイン送風ファン１１１とバイパス送風ファン１１４を配置する必要があるため、モーター支持部やケーシングおよび各風路が必要となり、この構成では奥行方向（厚み方向）の寸法を縮小できず、スリム化が困難であるという課題があり、部品形状を改良してスリムで軽量・コンパクトとすることが要求されている。
【０００８】
また、吹出口１１３ａ、１１３ｂが本体１０１の両側に分離していることで、衣類乾燥をする時に衣類に供給する風量が分散して乾燥効率が悪くなるという課題があり、衣類の乾燥効率が良く高性能な商品が要求されている。
【０００９】
本発明は上記従来の課題を解決するものであり、部品形状や配置を変更して、スリムで軽量・コンパクトで、かつ衣類乾燥効率が良く高性能な除湿装置を提供することを目的としている。
【課題を解決するための手段】
【００１０】
本発明の除湿装置は上記目的を達成するために、吸込口と吹出口を開口した本体と、圧縮機、放熱器、減圧機構および吸熱器を接続したヒートポンプと、供給空気から吸湿する吸湿部と加熱されて水分を放出する放湿部からなる円筒形状の吸放湿手段と、この吸放湿手段を回転する駆動手段と、ケーシングと羽根車からなる送風手段と、前記ケーシングの両側面に設けた第１のファン吸込口および第２のファン吸込口と、室内空気を前記本体の吸込口から前記放熱器に供給し前記第１のファン吸込口から前記送風手段に吸込み排気する排気風路と、室内空気を前記放熱器、前記放湿部、前記吸熱器、前記吸湿部に供給し前記第２のファン吸込口から前記送風手段に吸込み除湿する除湿風路を有し、前記送風手段の前記第１のファン吸込口側に前記放熱器を配置し、前記第２のファン吸込口側に吸放湿手段と吸熱器を配置したものである。
【００１１】
また、他の手段は、吸放湿手段の通風面、吸熱器の通風面、放熱器の通風面と送風手段のファン吸込口の面が略平行に配置したものである。
【００１２】
また、他の手段は、吸熱器と送風手段の間に吸放湿手段を配置したものである。
【００１３】
また、他の手段は、送風手段を本体上方からみて、左右方向の略中心に配置したものである。
【００１４】
また、他の手段は、送風手段の羽根車は、モーターの駆動軸に接続された円板状の主板と、この主板の両側に等間隔に配設した複数の第１ブレードおよび複数の第２ブレードからなり、前記第１のブレードをケーシングの第１のファン吸込口に対応させ、前記第２のブレードを前記ケーシングの第２のファン吸込口に対応させるとともに、前記ケーシングの内周に沿って排気風路と除湿風路を区分する隔壁を形成したものである。
【００１５】
また、他の手段は、第１のブレードと第２のブレードの傾き角度または取付ピッチを、それぞれ異なる仕様としたものである。
【００１６】
また、他の手段は、送風手段のケーシングは舌部の裏側に凹部を有し、この凹部と本体の側壁間のスペースにより除湿風路の一部を形成し、この除湿風路は放熱器を通過した空気を通過させてなるものである。
【００１７】
また、他の手段は、送風手段のケーシングは舌部の裏側に凹部を有し、吸放湿手段の放湿部を加熱する加熱手段を備え、この加熱手段を前記凹部に収納し、送風手段と吸放湿手段を近接して配置可能としたものである。
【００１８】
また、他の手段は、本体の吸気口から放熱器を通さずに吸熱器、吸放湿手段の吸湿部を通り、第２のファン吸込口に至るバイパス風路を設け、このバイパス風路の一部は、送風手段のケーシング、吸放湿手段および前記吸熱器と前記本体の側壁間のスペースにより形成したものである。
【００１９】
また、他の手段は、排気風路の吐出側に第２吹出口を本体表面に開口し、送風手段の吐出側に前記排気風路を除湿風路へ接続できる切換手段を設け、この切換手段は前記排気風路を前記第２吹出口に連通させる場合と、前記排気風路を除湿風路に合流させる場合とに切り替え可能としたものである。
【００２０】
これらの手段により、部品形状や配置の変更により、スリムで軽量・コンパクトで効率が良い除湿装置が得られる。
【発明の効果】
【００２１】
本発明によれば、両吸込みの送風手段を排気風路と除湿風路に分離して接続することより、コンパクトな風路構成ができ、除湿効率の高いスリムな除湿装置を提供できる。
【００２２】
また、風の流れがスムーズな風路構成とすることができ、送風ロスを低減して通風効率を高めることができる。
【００２３】
また、吸熱器と吸放湿手段および送風手段と吸放湿手段の間をつなぐ無駄なダクトが必要なくなり、安価に製造できるとともにコンパクト化することができる。
【００２４】
また、本体中央部分に吹出口を設けることができ、特に衣類乾燥時に使い勝手が易く、衣類の乾燥効率を高めることができる。
【００２５】
また、送風手段が１モーター１ファンとなり、軽量・コンパクト・安価でスリムな風路構成ができる。
【００２６】
また、送風手段が１モーター１ファンながら、排気風路と除湿風路の各風量バランスの微調整およびファンの共振を避けることができ、振動を抑えた除湿運転ができる。
【００２７】
また、風路の短縮および放熱器の風速分布が良化して、除湿効率のよい除湿装置が実現できる。
【００２８】
また、本体内のデットスペースを有効に利用した、無駄のないコンパクトでスリムな風路構成ができる。
【００２９】
また、室内空気を吸熱器、吸湿部に供給するバイパス風路を導入したことで、低温時の除湿能力を大幅にアップすることできる。
【００３０】
また、風路を切り換える切換手段を備えたことで、冷風と除湿風が分離可能となり、衣類乾燥運転とスポット冷風運転の切り換えが簡単に行なえる。
【発明を実施するための最良の形態】
【００３１】
本発明の請求項１記載の発明は、吸込口と吹出口を開口した本体と、圧縮機、放熱器、減圧機構および吸熱器を接続したヒートポンプと、供給空気から吸湿する吸湿部と加熱されて水分を放出する放湿部からなる円筒形状の吸放湿手段と、この吸放湿手段を回転する駆動手段と、ケーシングと羽根車からなる送風手段と、前記ケーシングの両側面に設けた第１のファン吸込口および第２のファン吸込口と、室内空気を前記本体の吸込口から前記放熱器に供給し前記第１のファン吸込口から前記送風手段に吸込み排気する排気風路と、室内空気を前記放熱器、前記放湿部、前記吸熱器、前記吸湿部に供給し前記第２のファン吸込口から前記送風手段に吸込み除湿する除湿風路を有し、前記送風手段の前記第１のファン吸込口側に前記放熱器を配置し、前記第２のファン吸込口側に吸放湿手段と吸熱器を配置したものであり、両吸込みの送風手段を排気風路と除湿風路に分離して接続することより、無駄のないコンパクトな風路構成が形成され、除湿効率を高めることができるという作用を有する。
【００３２】
また、吸放湿手段の通風面、吸熱器の通風面および放熱器の通風面と、ケーシングに設けたファン吸込口の開口面を略平行に配置したものであり、風の流れがスムーズな風路構成ができ、送風ロスを低減することができるという作用を有する。
【００３３】
また、吸熱器と送風手段の間に吸放湿手段を配置したものであり、吸熱器と吸放湿手段および送風手段と吸放湿手段の間をつなぐ無駄なダクトが必要なくなり、安価でコンパクトな風路構成ができるという作用を有する。
【００３４】
また、送風手段を本体上方からみて、左右方向の略中心に配置したものであり、本体中央部分に吹出口を設けることができ、特に衣類乾燥時に使い勝手が易く、効率が良い衣類乾燥ができるという作用を有する。
【００３５】
また、送風手段の羽根車は、モーターの駆動軸に接続された円板状の主板と、この主板の両側に等間隔に配設した複数の第１ブレードおよび複数の第２ブレードからなり、前記第１のブレードをケーシングの第１のファン吸込口に対応させ、前記第２のブレードを前記ケーシングの第２のファン吸込口に対応させるとともに、前記ケーシングの内周に沿って排気風路と除湿風路を区分する隔壁を形成したものであり、送風手段が１モーター１ファンとなり、部品点数が少なく部品構造も簡略化できるので、軽量コンパクトでスリムな風路構成ができるという作用を有する。
【００３６】
また、第１のブレードと第２のブレードの傾き角度または取付ピッチを、それぞれ異なる仕様としたものであり、送風手段が１モーター１ファンながら、排気風路と除湿風路の各風量バランス微調整およびファンの共振を避けることができ、低振動で効率の良い風路構成ができるという作用を有する。
【００３７】
また、送風手段のケーシングは舌部の裏側に凹部を有し、この凹部と本体の側壁間のスペースにより除湿風路の一部を形成し、この除湿風路は放熱器を通過した空気を通過させたものであり、風路の短縮および放熱器の風速分布が良化し、除湿効率のよい風路構成ができるという作用を有する。
【００３８】
また、送風手段のケーシングは舌部の裏側に凹部を有し、吸放湿手段の放湿部を加熱する加熱手段を備え、この加熱手段を前記凹部に収納し、送風手段と吸放湿手段を近接して配置可能としたものであり、デットスペースを有効に利用して加熱手段を収納するだけでなく、送風手段と吸放湿手段を本体の奥行き方向に近接して配置することができ、本体形状をスリム化できるという作用を有する。
【００３９】
また、本体の吸気口から放熱器を通さずに吸熱器、吸放湿手段の吸湿部を通り、第２のファン吸込口に至るバイパス風路を設け、このバイパス風路の一部は、送風手段のケーシング、吸放湿手段および前記吸熱器と前記本体の側壁間のスペースにより形成したものであり、本体内の余分なスペースを有効利用して省スペースでバイパス風路を設けることができるとともに、室内温度が低い場合に、バイパス風路から供給された空気により除湿能力を大幅にアップすることができるという作用を有する。
【００４０】
また、排気風路の吐出側に第２吹出口を本体表面に開口し、送風手段の吐出側に前記排気風路を除湿風路へ接続できる切換手段を設け、この切換手段は前記排気風路を前記第２吹出口に連通させる場合と、前記排気風路を除湿風路に合流させる場合とに切り替え可能としたものであり、切換手段を簡単な構造で実現できるとともに、衣類乾燥運転とスポット冷風運転の切り換えが容易に行なえるという作用を有する。
【００４１】
以下、本発明の実施の形態について図面を参照しながら説明する。なお、従来の例と同一の構成要素については同一の符号を用い、詳細な説明は省略する。
【００４２】
（実施の形態１）
図１〜図６に示すように、吸込口１１２と吹出口２３ａを開口した本体１０１Ａ内に冷媒を圧縮する圧縮機１０２と、冷媒が供給空気に放熱する放熱器１０３と、冷媒を膨張させて減圧する減圧機構１０４と、冷媒が供給空気から吸熱する吸熱器１０５とを配管接続した蒸気圧縮式のヒートポンプ１１８を設けている。送風手段８は両吸込型のケーシング７と羽根車４からなり、羽根車４はファンモーター４ａの駆動軸に接続された円板状の主板１の両側にそれぞれ複数の第１ブレード２と複数の第２ブレード３を配設し、第１のブレード２と第２のブレード３の傾き角度やピッチを異なる仕様としている。ケーシング７は両側面にそれぞれ第１のファン吸込口５と第２のファン吸込口６を備え、第１のブレード２に対して第１のファン吸込口５を、第２のブレード３に対して第２のファン吸込口６を開口している。
【００４３】
また、本体１０１Ａ内には排気風路９と除湿風路１０が分離して配置され、排気風路９は室内空気を前記吸込口１１２から前記放熱器１０３に供給し、前記第１のファン吸込口５から前記送風手段８に吸込まれた加熱対象空気１１５が通過する風路であり、除湿風路１０は室内空気を前記放熱器１０３、前記放湿部１０９、前記吸熱器１０５、前記吸湿部１０８に供給し、前記第２のファン吸込口６から前記送風手段８に吸込まれた除湿対象空気１１６が通過する風路である。なおケーシング７内部には羽根車４との間にスクロール曲面に沿うように帯状の隔壁１１を立設し、隔壁１１は排気風路９と除湿風路１０を区分する役目を有している。
【００４４】
送風手段８の第１のファン吸込口５側に放熱器１０３を配置し、第２のファン吸込口６側に駆動手段１２によって回転し吸湿部１０８では供給空気から吸湿するとともに放湿部１０９では加熱されて水分を放出する吸放湿手段１０７が、吸熱器１０５と送風手段８に挟まれるように配置されている。
【００４５】
また、吸放湿手段１０７の通風面、吸熱器１０５の通風面、放熱器１０３の通風面と送風手段８の第１のファン吸込口５，第２のファン吸込口６の面は略平行に配置され、さらに送風手段８は本体上方からみて、左右方向の略中心に配置されている。
【００４６】
また、送風手段８のケーシング７は、舌部１３の裏側に凹部１４を有し、凹部１４と本体１０１Ａの側壁により形成される空間が除湿風路１０の一部となり、除湿風路１０における放熱器１０３通過後の空気を通過させることができる構造となっている。
【００４７】
また、吸放湿手段１０７の再生領域である放湿部１０９を加熱する加熱手段１５を備え、加熱手段１５をケーシング７の凹部１４に収納することにより、加熱手段１５と送風手段８が厚み方向（前後方向）で重ならないようにして、送風手段８と吸放湿手段１０７を近接させることができる構造となっている。
【００４８】
また、吸込口１１２からの室内空気を、放熱部１０３を通らずに、吸熱器１０５、吸湿部１０８を通り、第２のファン吸込口６から送風手段８に吸込むバイパス風路１６を設けている。すなわちバイパス風路１６は、吸込口１１２から導入した室内空気を、送風手段８のケーシング７と本体１０１Ａの隙間を通過して、エバカバー２１側面の開口部２２より吸熱器１０５に至るバイパス構造を有している。なお、このとき流れる空気をバイパス空気２０とする。
【００４９】
また、本体１０１Ａの吹出口２３ａとは異なる位置に第２吹出口２３ｂを開口し、送風手段８の吐出側に排気風路９を除湿風路１０へ接続できる切換手段１７を設け、この切換手段１７は排気風路９を第２吹出口２３ｂに連通させる場合と、排気風路９を除湿風路１０に合流させる場合とに切り替え可能に設けている。
【００５０】
吹出口２３ａの上方には風向を変更できる風向ルーバー１８を設け、本体１０１Ａには吸熱器１０５の下部にドレン水を受けるドレンパン１９と、着脱可能なタンク１１９を設けている。
【００５１】
次に除湿装置の動作を説明する。
【００５２】
図７は、本発明の実施の形態１にかかる除湿装置の冷媒の状態変化を示すモリエル線図（圧力−エンタルピ線図）である。点Ａ、点Ｂ、点Ｃ、点Ｄを矢符で結んだサイクルは、冷媒回路内を循環する冷媒の状態変化を示しており、冷媒は圧縮機１０２において圧縮されることにより圧力とエンタルピが上昇して点Ａから点Ｂの状態変化を行い、放熱器１０３において供給される除湿対象空気１１６および加熱対象空気１１５に対して放熱することによりエンタルピが減少して点Ｂから点Ｃの状態となる。次に膨張機構１０４において膨張して減圧することにより圧力が低下して点Ｃから点Ｄの状態変化を行い、吸熱器１０５において供給される除湿対象空気１１６から吸熱することによりエンタルピが増加して点Ｄから点Ａの状態に戻る。このような冷媒の状態変化により、吸熱器１０５において吸熱し、放熱器１０３において放熱するヒートポンプ１１８が動作し、この時、点Ｂと点Ｃのエンタルピ差に冷媒の循環量を乗じた値が放熱器１０３における放熱量、点Ａと点Ｄ（点Ｃ）のエンタルピ差に冷媒の循環量を乗じた値が吸熱器１０５における吸熱量となり、放熱量と吸熱量の差、即ち点Ｂと点Ａのエンタルピ差に冷媒の循環量を乗じた値が圧縮機１０２の圧縮仕事量になる。
【００５３】
図８は、本発明の実施形態１にかかる除湿装置における除湿対象空気１１６、加熱対象空気１１５の状態変化を示す湿り空気線図であり、各々の空気状態の変化を説明する。
【００５４】
まず、点ａの状態の除湿対象空気１１６および加熱対象空気１１５が放熱器１０３に供給され、冷媒の放熱により加熱されて点ｂの状態となる。ここで加熱対象空気１１５は、点ｂの状態のまま装置外部に排出され、除湿対象空気１１６は、放湿部１０９に供給されて吸放湿手段１０７に担持された吸着剤が保有している水分を脱着することにより加湿されて、湿度が上昇するとともに温度が低下して点ｃの状態となる。点ｃの状態となった除湿対象空気１１６は次に吸熱器１０５に供給され、冷媒の吸熱により露点温度以下まで冷却されて点ｄの飽和状態となる。この時に飽和した水分は凝縮水としてタンク１１９に回収される。最後に除湿対象空気１１６は吸湿部１０８に供給され、吸着剤に水分を吸着されることによって除湿され、湿度が低下するとともに温度が上昇して点ｅの状態の乾燥空気となり装置外部に排出される。
【００５５】
一方、点ａの状態のバイパス空気２０も、吸熱器１０５に供給され、冷媒の吸熱により露点温度以下まで冷却されて点ｄの飽和状態となる。この時に飽和した水分は凝縮水としてタンク１１９に回収される。最後に除湿対象空気１１６は吸湿部１０８に供給され、吸着剤に水分を吸着されることによって除湿され、湿度が低下するとともに温度が上昇して点ｅの状態の乾燥空気となり装置外部に排出される。
【００５６】
以上の除湿対象空気１１６およびバイパス空気２０の状態変化において、吸熱器１０５において回収される凝縮水の量は、点ｃと点ｄの絶対湿度差に除湿対象空気１１６の重量換算風量を乗じた値と点ａと点ｄの絶対湿度差にバイパス空気２０の重量換算風量を乗じた値の加算値となり、放湿部１０９における放湿量は、点ｂと点ｃの絶対湿度差に除湿対象空気１１６の重量換算風量を乗じた値となる。また、吸湿部１０８における吸湿量は、点ｄと点ｅの絶対湿度差に除湿対象空気１１６とバイパス空気２０の重量換算風量をそれぞれ乗じた値となる。以上の動作において、理想状態では、放湿部１０９の出口空気状態を示す点ｃは、吸湿部１０８の入口空気状態を示す点ｄと同一の相対湿度である点ｃ’に近づき、吸湿部１０８の出口空気状態を示す点ｅは、放湿部１０９の入口空気状態を示す点ｂと同一の相対湿度である点ｅ’に近づく。したがって点ｄの相対湿度を上昇させ、点ｂの相対湿度を低下させること、即ち、点ｄで示した吸湿部１０８への供給空気と点ｂで示した放湿部１０９への供給空気との相対湿度差を拡大することが吸放湿量を高めることになり、結果的に除湿効率が向上することになる。また、除湿対象空気１１６の重量換算風量と加熱対象空気１１５の重量換算風量を加算して点ａと点ｂのエンタルピ差に乗じた値が放熱器１０３における放熱量、点ｃと点ｄのエンタルピ差に除湿対象空気１１６の重量換算風量を乗じた値と点ａと点ｄのエンタルピ差にバイパス空気２０の重量換算風量を乗じた値の加算値が吸熱器１０５における吸熱量となり、この放熱器１０３における放熱量および吸熱器１０５における吸熱量は、図７の冷媒の状態変化から得られる放熱量および吸熱量と等しくなる。従って、放熱器１０３において除湿対象空気１１６のみでは不足する冷媒の放熱分を加熱対象空気１１５が補うことにより、除湿対象空気１１６の風量を放湿部１０９における放湿、吸熱器１０５における冷却、吸湿部１０８における吸湿の過程における最適な値に設定することができるのである。また、各点ａ、ｂ、ｃ、ｄ、ｅが風路的に隣り合い互いの風路間の漏れに対し、除湿効率が低下することは述べるまでもない。
【００５７】
上記構成において、冷風運転を行う場合は、図１に示すように第２吹出口２３ｂから除湿風路１０を流れる空気を排出するように除湿風路１０を切り換える切換手段１７を実線の位置に切り換えることで、吸込口１１２から室内空気を吸込み、放熱器１０３、吸放湿手段１０７、吸熱器１０５を通過したそれぞれの風は、上方にある吹出口２３ａから温風が吹き出されるとともに、前方にある第２吹出口２３ｂから冷風が吹き出されるので、使用者が第２吹出口２３ｂの前方に位置することにより、除湿された冷風を受けることができる。
【００５８】
また、除湿運転を行う場合は、図１に示すように除湿風路１０を切り換える切換手段１７を破線の位置に切り換えることで、温風と冷風を混合した乾燥風が上方にある吹出口２３ａから吹き出すことができ、さらに風向を変更できる風向ルーバー１８の働きにより、効果的に乾燥風を対象物に向けて送風させることができる。
【００５９】
また、除湿対象空気１１６を、放熱器１０３においてヒートポンプ１１８の放熱により加熱し、次に放湿部１０９において吸放湿手段１０７の放湿により加湿し、次に吸熱器１０５においてヒートポンプ１１８の吸熱により冷却し、次に吸湿部１０８において吸放湿手段１０７の吸湿により除湿することによって、吸湿部１０８に供給される除湿対象空気１１６と放湿部１０９に供給される除湿対象空気１１６との相対湿度差を拡大し、循環経路を設けない単純な構成で吸放湿手段１０７の吸放湿量を増加することができる。
【００６０】
さらに放熱器１０３に加熱対象空気１１５を供給することによって、ヒートポンプ１１８の放熱に適する風量と、吸放湿手段１０７の吸放湿およびヒートポンプ１１８の吸熱に適する風量とのアンバランスを解消し、効率の良い除湿を行うことができる。
【００６１】
本実施の形態での具体的な風量アンバランス解消方法は、送風手段８の羽根車４の第１ブレード２と第２ブレード３のブレード長比を、例えば２対１として、概略の風量バランスをとり、つぎにブレードの傾き角度を第１ブレード２と第２ブレード３で異なる角度に設けて、第１のファン吸込口５側と第２のファン吸込口６側のそれぞれの圧力損失による微調整を行なうことができる。なお、本実施の形態ではブレードの傾き角度は同一としている。
【００６２】
さらにバイパス風路１６については、エバカバー２１側面の開口部２２の開口面積を調整することにより、全体的な風量バランスを調整可能としている。また、第１ブレード２と第２ブレード３のピッチを、半ピッチずらすように異なる仕様とすることにより、羽根に起因する特有の騒音を減少させる効果がある。
【００６３】
また、送風手段８を本体１０１Ａ上方からみて、左右方向に対して略中心に配置していることで、本体１０１Ａ中央部分に吹出口２３ａを設けることができ、衣類乾燥運転をする際には、吹出口２３ａから乾燥風が一つに纏まって吹き出すこととなり、使い勝手が易く無駄なく乾燥風を利用でき、さらに風向ルーバー１８により対象物の洗濯物にまんべんなく乾燥風をあてることが可能になり、衣類乾燥を効率よく行なうことができる。
【００６４】
このように、風路構成を変更することにより、乾燥風の風量自体も約２０％増加させることができ、衣類乾燥に要する時間が２０℃７０％のＪＩＳ基準条件で、６０分から５０分へと大きく短縮できるという効果が得られた。
【００６５】
また、図９に示すように、室内空気が１０℃６０％の低温条件の時、吸熱器１０５に供給される放湿部１０９の出口空気状態は、加熱手段１５として５００ｗのヒーターを使用した場合は、イ）約４５℃５５％であり、バイパス風２０と放湿部１０９の出口空気が混合された空気状態は、ロ）約２２℃９０％となる。従って、バイパス空気２０の有無の比較では、イ）およびロ）の空気状態を比べると、吸熱器１０５における吸熱量はロ）の空気状態の方が、顕熱変化としての使用が少なくなり、トータルでより多くの潜熱変化に使用されるため、効率良い除湿運転が可能となり、バイパス空気２０により低温時の除湿能力が大幅にアップするという効果が得られるものである。
【産業上の利用可能性】
【００６６】
本発明は、よりスリムで軽量・コンパクトで、機器構成が容易で、より安価で効率が良い除湿装置が得られるものであり、除湿機、乾燥機、空調機、溶剤回収装等の高効率な除湿機能が所望される用途に適している。
【図面の簡単な説明】
【００６７】
【図１】本発明の実施の形態１にかかる除湿装置の概略断面図
【図２】同除湿装置の外観斜視図
【図３】同除湿装置の本体内部の分解斜視図
【図４】同除湿装置の風路を示す要部分解図
【図５】同除湿装置の送風手段の分解展開図
【図６】同除湿装置のバイパス風路を示す本体内部の斜視図
【図７】同除湿装置の冷媒の状態変化を示すモリエル線図（圧力−エンタルピ線図）
【図８】同除湿装置の除湿対象空気および加熱対象空気の状態変化を示す湿り空気線図
【図９】同除湿装置の放湿部出口空気状態と混合空気状態を示す湿り空気線図
【図１０】従来の除湿装置の概略構成を示した概略断面図
【符号の説明】
【００６８】
１        主板
２        第１ブレード
３        第２ブレード
４        羽根車
５        第１のファン吸込口
６        第２のファン吸込口
７        ケーシング
８        送風手段
９        排気風路
１０      除湿風路
１１      隔壁
１２      駆動手段
１３      舌部
１４      凹部
１５      加熱手段
１６      バイパス風路
１７      切換手段
２３ａ    吹出口
２３ｂ    第２吹出口
１０１Ａ  本体
１０２    圧縮機
１０３    放熱器
１０４    減圧機構
１０５    吸熱器
１１２    吸込口
１１８    ヒートポンプ
【図１】
2008200615.tif 000003
【図２】
2008200615.tif 000004
【図３】
2008200615.tif 000005
【図４】
2008200615.tif 000006
【図５】
2008200615.tif 000007
【図６】
2008200615.tif 000008
【図７】
2008200615.tif 000009
【図８】
2008200615.tif 000010
【図９】
2008200615.tif 000011
【図１０】
2008200615.tif 000012